Podtech/llm-jp-corpus-v4-ja_patent huggingface dataset:
(57)【要約】【課題】  マスクを着用した状態で就寝しても楽に呼吸ができ、しかも喉、口腔、鼻腔の乾燥を防止し、また口腔や鼻腔の粘膜の乾燥による痛みを防止することができる就寝用マスクを提供する。【解決手段】  装着者の口部を覆う口側覆い体１は、重ね合わせた複数枚の通気性シート素材の幅方向両端に耳掛け紐２、２を設けて形成してある。鼻側覆い体３は、口側覆い体１より横幅及び縦幅を広く設定した通気性シート素材を、口側覆い体１より少ない枚数重ね合わせて形成してある。口側覆い体１と鼻側覆い体３の幅方向両端を取着し、鼻側覆い体３と口側覆い体１との間に空隙４を形成し、かつ口側覆い体１の上方に鼻側覆い部３の一部を突出させて鼻覆い部３Ａとしてある。【選択図】  図１
0003118375.tif 000002
【実用新案登録請求の範囲】
【請求項１】
重ね合わせた複数枚の通気性シート素材の幅方向両端に耳掛け紐を設けて形成し、装着者の口部を覆う口側覆い体と、該口側覆い体より横幅及び縦幅を広く設定した通気性シート素材を、該口側覆い体より少ない枚数重ね合わせて形成した鼻側覆い体とからなり、該鼻側覆い体の幅方向両端を前記口側覆い体の両端に取着して構成することにより、該鼻側覆い体と口側覆い体との間に空隙を形成し、かつ口側覆い体の上方に鼻側覆い体の一部を突出させて鼻覆い部としてなる就寝用マスク。
【請求項２】
前記口側覆い体は約１２〜１８枚の通気性シート素材で形成し、前記鼻側覆い体は約６〜１０枚の通気性シート素材で形成してあることを特徴とする請求項１記載の就寝用マスク。
【考案の詳細な説明】
【技術分野】
【０００１】
本考案は、マスクに関し、特に就寝時の呼吸を楽に行うことが出来るようにした就寝用マスクに関する。
【背景技術】
【０００２】
従来のマスクは、装着者の口部及び鼻を一体に覆う大きさからなっており、この大きさを前提にして顔面との密着性の向上や、ずり落ちの防止、或はめがねの曇りを防止するといった種々の改良が提案されている。
【特許文献１】特開２００１−１６１８４３号公報
【考案の開示】
【考案が解決しようとする課題】
【０００３】
ところで、呼吸は本来無意識に行っているが、マスクを装着すると口や鼻への通気性が悪くなって息苦しさを覚えることから、呼吸を意識的に行うこともある。この場合、起きている間は呼吸を意識的に行うことが可能であるが、就寝中は意識的に呼吸することはないから、口部から鼻を一体に覆う従来のマスクでは息苦しくなって、寝付けないという問題や、目が覚めてしまうという問題がある。
【０００４】
このため、就寝中には意識的に或は無意識的にマスクを外してしまったり、鼻や口の部分からずらして少しでも息苦しさを解消するといったことを行ってしまう。かくしては、口部及び／又は鼻が露出してしまい、喉が乾燥したり、口腔や鼻腔の粘膜が乾燥してしまい、冬には粘膜に冷気が直接触れて痛みを感じるといった問題が生じている。
【０００５】
本考案は上述した従来技術の問題点に鑑みなされたもので、マスクを着用した状態で就寝しても楽に呼吸ができ、しかも喉、口腔、鼻腔の乾燥を防止できるし、口腔や鼻腔の粘膜の乾燥による痛みを防止することができる就寝用マスクを提供することを目的とする。
【課題を解決するための手段】
【０００６】
上述した課題を解決するために構成した本考案の手段は、重ね合わせた複数枚の通気性シート素材の幅方向両端に耳掛け紐を設けて形成し、装着者の口部を覆う口側覆い体と、該口側覆い体より横幅及び縦幅を広く設定した通気性シート素材を、該口側覆い体より少ない枚数重ね合わせて形成した鼻側覆い体とからなり、該鼻側覆い体の幅方向両端を前記口側覆い体の両端に取着して構成することにより、該鼻側覆い体と口側覆い体との間に空隙を形成し、かつ口側覆い体の上方に鼻側覆い体の一部を突出させて鼻覆い部としたものからなる。
【０００７】
そして、前記口側覆い体は約１２〜１８枚の通気性シート素材で形成し、前記鼻側覆い体は約６〜１０枚の通気性シート素材で形成するとよい。
【考案の効果】
【０００８】
本考案は上述の如く構成したから、下記の諸効果を奏する。
（１）マスクを着用して就寝しても、鼻の部分は通気性を損なわない鼻側覆い体で覆うので、息苦しさを覚えることなく楽に呼吸することができる。
（２）口部及び鼻の全体を覆うから、口腔及び鼻腔の乾燥を防止できるし、口腔及び鼻腔の粘膜の乾燥による痛みを防止することができる。
【考案を実施するための最良の形態】
【０００９】
以下、本考案の実施の形態を図面に基づき詳述する。図において、１は装着者の口部を覆う口側覆い体を示す。該口側覆い体１は横幅Ｗ１を約１３ｃｍに、縦幅Ｌ１を約８ｃｍに裁断し或は折畳むことにより横長長方形に形成した複数枚、本実施の形態では１２〜１８枚のガーゼを重ね合わせ、幅方向両端側を縫着すると共に、ゴム紐からなる耳掛け紐２、２を設けて構成してある。
【００１０】
３は装着者の鼻を覆うために前記口側覆い体１の前側に設けた鼻側覆い体を示す。該鼻側覆い体３は横幅Ｗ２を約１４ｃｍに、縦幅Ｌ２を約１１，５ｃｍに裁断し或は折畳むことにより横長長方形に形成した複数枚、本実施の形態では６枚のガーゼを重ね合わせ、幅方向両端側を口側覆い体１と一体に縫着して構成してある。
【００１１】
かくして、本実施の形態からなる就寝用マスクは、鼻側覆い体３は口側覆い体１に対して横幅を１ｃｍ、縦幅を３，５ｃｍ夫々長く設定した構成にすることにより、口側覆い体１と鼻側覆い体３との間には空隙４が形成されるようになっており、また口側覆い体１の上方に突出する鼻側覆い体３の一部は鼻覆い部３Ａになっている。
【００１２】
就寝用マスクの装着は、口側覆い体１を口部に当て、鼻側覆い体３の鼻覆い部３Ａを鼻に当てた状態にして耳掛け紐２、２を耳に掛けることにより行う。このように、口側覆い体１は口部を覆うことにより従来のマスクと同様に就寝中でも口腔や喉の乾燥を防止することができる。他方、鼻側覆い体３は少ない枚数のガーゼで形成して鼻覆い部３Ａで鼻を覆うようにしたから、無意識呼吸を阻害しない通気性を得ることができるし、口側覆い体１との間に形成してある通気路となる空隙４から外気を流入させることができるから、装着者は鼻呼吸の負担が少なくなり楽に呼吸することができるし、鼻腔の粘膜が乾燥する事態を防止することができる。
【００１３】
なお、本実施の形態では、呼吸と喉や鼻の乾きを考慮して口側覆い体１は約１２〜１８枚のガーゼで形成し、鼻側覆い体３は約６〜１０枚のガーゼで形成してあるが、本考案において使用するガーゼの枚数はこの枚数に限定されるものではなく、ガーゼの通気性を考慮して適宜設定できるものである。
【００１４】
また、本実施の形態では通気性シート素材にガーゼを用いたが、例えば不織布で形成した通気性シート素材を用いてもよい。
【図面の簡単な説明】
【００１５】
【図１】本考案の実施の形態に係る就寝用マスクの全体構成を示す斜視図である。
【図２】就寝用マスクの平面図である。
【図３】口側覆い体と鼻側覆い体の大きさを示す説明図である。
【符号の説明】
【００１６】
１        口側覆い体
２        耳掛け紐
３        鼻側覆い体
３Ａ      鼻覆い部
４        空隙
【図１】
0003118375.tif 000003
【図２】
0003118375.tif 000004
【図３】
0003118375.tif 000005
(57)【要約】【課題】  小型の冷蔵庫等を合体、結合することにより大型にしたり、大型の冷蔵庫等を分解して小型にしたり、増減が簡単にできるようにする。【解決手段】  冷蔵庫等の機械部のついている本体と増設用の庫を用意し、本体部は、左右側面、床面に冷気通し用連結用の穴をあけておき、増設用庫は、左右側面、天井面に冷気通し用連結用の穴をあけておく。本体庫の左側面に増設用庫の右側面をナットでしめつけ、合体、結合し、１個の冷蔵庫等ができる。運搬時には、ナットをゆるめ分解することにより、小型で軽くなり持ち運びが容易にできる。【選択図】図３
0003118332.tif 000002
【実用新案登録請求の範囲】
【請求項１】
冷蔵庫、冷凍庫の庫部分の天井面、側面、底面に通冷気用の大きなネジ付きミゾの付いた穴をあけておき、他の同様に穴のあいている庫部分の天井面、側面、底面をナットでしめつけ、合体、結合することにより容量を増やすことができたり、また、分解して容量を減らすことができたりする、増設及び分解できる冷蔵庫、冷凍庫。
【考案の詳細な説明】
【技術分野】
【０００１】  本考案は、冷蔵庫や冷凍庫を簡単に増やしたり分解することにより、容易に内容量の増加や重量の増減ができる冷蔵庫や冷凍庫に関するものである。
【背景技術】
【０００２】  複数の庫（冷蔵・冷凍する部屋）のついている業務用冷蔵庫・冷凍庫等は、型が大きく、重いので搬送、設置に時間がかかる。
【考案の開示】
【考案が解決しようとする課題】
【０００３】  解決しようとする問題点は、業務用の大型冷蔵庫等を運搬、設置するのに重量が重いためスムーズにできず、運搬、設置が面倒である。
【課題を解決するための手段】
【０００４】  本考案は、単体の冷蔵庫等を組み合わせたり分解することにより、内容量や重量の増減が簡単にできることが主要な特徴である。
【考案の効果】
【０００５】  本考案の冷蔵庫等では、各単体の庫を図１のナットでしめつけることにより、合体、結合して１つの冷蔵庫等にするものであるから、簡単に容量や重量の増減ができる。
【考案を実施するための最良の形態】
【０００６】  図２に示すＡ本体用庫とＢ増設用の庫を用意し、本体用庫の左側面に増設用庫の右側面を図１のナットでしめつけて合体、結合させ、図３のようにする。【０００７】  図３を分解する場合、結合、合体用ナットをはずし、本体用庫と増設用庫をばらばらにする。
【実施例】
【０００８】  本考案の冷蔵庫等は、機械部をつけてある本体と容量を増やすための増設庫で構成している。【０００９】  図２は、本考案の冷蔵庫等の展開図である。展開図Ａは、本体図庫、展開図Ｂは、増設庫とし、Ａは、天井部に機械を付けるので冷気を通すため連結用の穴はあけないが床面にあけてある。Ｂは、天井面には穴をあけるが、床面にはあけていない。【００１０】  図４の本体庫甲の左側面に増設庫乙の右側面を図１の冷気を通すための穴のあいたナットでしめつけて図３のように合体、結合させる。【００１１】  通常本体庫だけで使用する場合、冷気通し用の連結用穴は、図５で蓋をしておく。【００１２】  増設は、すべて本体庫を基準とし、本体の床面には、増設庫の天井面、本体庫の左側面には増設庫の右側面というふうに本体庫を中心に増設する。【００１３】  本体に増設や分解して容量の増減があった場合、本体庫上に設置してある機械部の膨張弁の開閉により、温度調節をする。【００１４】  結合・合体用のリング状ナットの内面にナットをしめつけるための十字型スパナのすべりどめのためＮを設けスパナ先のＰを入れてしめつける。【００１５】  図３は、本考案の完成図である。【００１６】  本体庫と増設庫を結合・合体したり、分解するのに使用するナットは、リング状の正円形とする。【００１７】リングの外面壁にネジ山を切っておき、冷気が通る穴の内面にもネジ山を切っておき、両ネジ山にリングナットを入れてしめつけて結合・合体する。
【産業上の利用可能性】
【００１８】  各庫を大きなナットでしめつけ合体、結合してあるので、水害時等には、ナットをばらして、各庫にもどすと、軽くて小さくなるので持ち運びし易くなる。
【図面の簡単な説明】
【００１９】
【図１】  結合用ナット
【図２】  展開図
【図３】  完成図
【図４】  増設庫および本体庫図
【図５】  冷気通し用連結用穴の蓋
【図６】  ナットをしめつける十字型のスパナ
【符号の説明】
【００２０】  Ａ、ナットを横から見た図
Ｂ、ナットを上から見た図
Ｃ、床面
Ｄ、裏面
Ｅ、天井面
Ｆ、右側面
Ｇ、左側面
Ｈ、蓋を横から見た図
Ｉ、蓋を上から見た図
Ｊ、冷気通し用連結用穴
Ｋ、前面
Ｌ、機械部
Ｍ、ネジ山
Ｎ、すべりどめ
Ｏ、スパナのハンドル
Ｐ、リングをしめつけるためのスパナの先
Ｑ、スパナの支柱
Ｒ、スパナを上から見た図
Ｓ、スパナを横から見た図
甲、本体庫
乙、増設庫
【図１】
0003118332.tif 000003
【図２】
0003118332.tif 000004
【図３】
0003118332.tif 000005
【図４】
0003118332.tif 000006
【図５】
0003118332.tif 000007
【図６】
0003118332.tif 000008
(57)【要約】【課題】三層状に重合された基台の内部に中空穴を設け、骨壷等の納置を簡単容易に行えるようにするとともに、各基台の脱落を防止することができる小型墓石を提供する。【解決手段】角柱状に形成された墓標１と、大きさの異なる方形台状に形成された第一基台２と第二基台３と第三基台４とを備え、その全体形状を持ち運び可能な小型状に形成して成る墓石であって、前記した第二基台３の中心部を貫通状に切欠し、また前記した第一基台２の中心下半部と前記した第三基台４の中心上半部をそれぞれ切欠して、三者の重合による中空穴５を形成するとともに、第三基台４の上面に第二基台３の下部を嵌入可能な切込溝８を形成し、且つ第二基台３の上面にも第一基台２の下部を嵌入可能な切込溝７を形成した構成とする。【選択図】図２
0003118331.tif 000002
【実用新案登録請求の範囲】
【請求項１】
最大面積を有する第三基台の上に第二基台、第一基台と配置して三層状に設けた形状の基台と、その基台の上部に立設した墓標とを備え、その全体形状を持ち運び可能な小型状に設けて成る墓石において、第二基台の中心部を貫通状に切欠し、また第一基台の中心下半部と第三基台の中心上半部をそれぞれ切欠して、三者の重合による中空穴を形成するとともに、第三基台の上面に第二基台の下部を嵌入可能な切込溝を形成し、且つ第二基台の上面にも第一基台の下部を嵌入可能な切込溝を形成したことを特徴とする小型墓石。
【考案の詳細な説明】
【技術分野】
【０００１】  本考案は小型墓石に係るものである。近年に至って墓用土地が益々不足し、新たな墓地の購入が困難となっており、またその結果として墓地の購入費用が高騰している。本考案はこのような事情に鑑みてなされたものであり、特に都市部で生活する者が自宅で先祖や死者の霊を弔うことができるようにした小型墓石に関するものである。
【背景技術】
【０００２】  従来、自宅で先祖や死者の霊を弔うことができるようにした小型墓石としては、中空構造で構成された柱体と、その柱体を載置するための上下の基台を備え、その柱体と上下の基台の中へ骨壷や故人の経歴書を挿入するようにした墓石がある（例えば、特許文献１参照。）。
【特許文献１】実用新案登録第３０４１２５２号公報
【考案の開示】
【考案が解決しようとする課題】
【０００３】  上記した実用新案登録第３０４１２５２号公報の墓石は、柱体から第二基台に至る間の内部がすべて中空状に形成されており、またその中空部の大きさや形状がそれぞれ異なっているので、墓石管理の当事者になることの多い高齢者にとっては、その中空部内に骨壷等を挿入する作業が非常に困難であるという欠点があった。さらに柱体と第一基台と第二基台は、それぞれ積み上げておくのみの構造で、各部が分離して横ずれすることを防止する手段が講じられていないので、墓石の一部が脱落し易いという問題点があった。【０００４】  そこで本考案は、三層状に重合された基台の内部のみに角柱状の中空穴を設け、骨壷等の納置を簡単容易に行えるようにするとともに、基台同志の接合部分に横ずれ防止手段を設けた小型墓石の提供を目的とするものである。
【課題を解決するための手段】
【０００５】  上記の目的を達成すために本考案は、最大面積を有する第三基台の上に第二基台、第一基台と配置して三層状に設けた形状の基台と、その基台の上部に立設した墓標とを備え、その全体形状を持ち運び可能な小型状に設けて成る墓石において、第二基台の中心部を貫通状に切欠し、また第一基台の中心下半部と第三基台の中心上半部をそれぞれ切欠して、三者の重合による中空穴を形成するとともに、第三基台の上面に、第二基台の下部を嵌入可能な切込溝を形成し、且つ第二基台の上面に、第一基台の下部を嵌入可能な切込溝を形成した構成とするものである。
【考案の効果】
【０００６】  本考案の小型墓石を用いれば、特に都市部で生活する者が、自宅で先祖や死者の霊を弔うことができるので、高額の墓地を購入する必要がないという顕著な効果を有するとともに、墓石を小型に形成し、且つ組立や分解が簡単であるので、骨壷や形見の品などを容易に納置することができ、また設置場所の移動や引越しなども支障なく行うことができるという特筆すべき効果がある。さらに本考案の墓石の外観は、旧来からある墓石の外観と全く同様であるので、高齢者でも受け入れ易いという長所がある。
【考案を実施するための最良の形態】
【０００７】  三層状に形成した基台の内部に骨壷等を納置するための中空穴を設け、また第三基台の上面と第二基台の上面にそれぞれ切込溝を形成し、その各切込溝に第二基台と第一基台の下部をそれぞれ嵌入することにより、三つの基台の横ずれを防止するようにする。
【実施例】
【０００８】  以下に本考案の実施例を図面と共に説明するが、図１は本考案の外観を示す斜視図であり、また図２は納骨壷または形見入れを納置した状態の断面図であり、さらに図３は本考案の平面図である。【０００９】  本考案に成る墓石は、庭やベランダの一隅に設置したり、家屋内の片隅に設置することができるように、一般的な墓石の半分以下の大きさの小型状に形成されたものである。なおこの墓石を製造する素材としては、一般的な墓石と同様な石材でもよいが、合成樹脂などを用いて製造することも可能である。【００１０】  上記した墓石は、図１に示すように、角柱状に設けた墓標１と、それぞれ方形台状に設けた第一基台２、第二基台３、第三基台４とにより成るもので、最大面積を有する第三基台４を最下位にし、最小面積を有する第一基台２を最上位とする三層状に重合されたものである。また墓標１は接着剤を用いて第一基台２の上方に立設されるが、両者は製造段階で一体状に形成するようにしてもよい。なお本実施例では墓標１を断面正方形の角柱状に形成してあるが、断面長方形の角柱状や縦長の楕円形状にしてもよく、また各基台においても、正方形の台状ではなく長方形の台状に形成してもよいことは勿論である。【００１１】  上記のように重合された基台の内部は、第二基台３の中心部を貫通状に切欠し、また第一基台２の中心下半部と第三基台４の中心上半部をそれぞれ切欠して、三者を重合した場合に角柱状の中空穴５が形成されるようになっている。したがって、この中空穴５に骨壷や形見入れを納置することが可能となっているのである。【００１２】  また前記した第三基台４の上面には、第二基台３の下部を嵌入可能な切込溝８が形成されており、さらに第二基台３の上面にも、第一基台２の下部を嵌入可能な切込溝７が形成されている。したがってこの各基台を重合して組立てた場合には、横方向へのずれを防止できる構造となっている。【００１３】  本考案は、以上のように構成された小型墓石であり、これを使用する場合は、墓標１と第一基台２、第二基台３の順に分解していき、骨壷等を納置した後、逆の手順で組立てるようにするものである。
【図面の簡単な説明】
【００１４】
【図１】本考案の小型墓石の斜視図である。
【図２】図１の小型墓石の断面図である。
【図３】図１の小型墓石の平面図である。
【符号の説明】
【００１５】    １  墓標
２  第一基台
３  第二基台
４  第三基台
５  中空穴
６  骨壷
７  切込溝
８  切込溝
【図１】
0003118331.tif 000003
【図２】
0003118331.tif 000004
【図３】
0003118331.tif 000005
(57)【要約】      （修正有）【課題】脱臭効率が向上し、ランニングコストが低減されたフイルター集塵機を提供する。【解決手段】フイルター集塵機のフイルター内面に送風機で微粉炭を付着させ脱臭、必要に応じて他の粉塵と共に廃棄する。【選択図】図１
0003118337.tif 000002
【実用新案登録請求の範囲】
【請求項１】
フイルター集塵機において微粉炭を送風機でフイルター内面に送り込み付着させ、処理空気の集塵と脱臭を同時行う装置。
【考案の詳細な説明】
【考案の詳細な説明】
【技術分野】
【０００１】フイルター内面に微粉炭を送風付着させ、これに処理する空気を通過させ脱臭・集塵を行いその能力が低下してきたらシェーキング装置で粉塵とともに落下収集し廃棄、再度フイルター内面に微粉炭を送風付着させる。
【背景技術】
【０００２】従来の脱臭装置はまず微生物で処理する方法が有るがこれは高価で購入し難く、又  活性炭をフイルターに吸着してあるタイプは圧力損失が大きく、脱臭能力低下時にはフイルター本体の交換が必要でランニングコストが高い。
【考案が解決しようとする課題】
【０００３】低ランニングコストと脱臭能力の維持・継続。
【課題を解決するための手段】
【０００４】フイルター内面に微粉炭を送風自然着装させ能力が低下してきたらシェーキング装置で粉塵とともに落下収集し廃棄、再度フイルター内面に微粉炭を送風付着させる。
【考案を実施するための最良の形態】
【０００５】図１において説明。
送風機で微粉炭定量装置より微粉炭を吸引しフイルターに送風吸着させ、その後処理する空気を通過させ脱臭・集塵処理をする。
【図面の簡単な説明】
【０００６】
【図１】装置の全体図。
【図１】
0003118337.tif 000003
(57)【要約】      （修正有）【課題】竹炭と磁石の性能を利用して、腰に馴染み易いバンドを提供する。【解決手段】通気性のあるシートで、内部を三分割に形成した楕円筒状の袋１の上下部を磁石室とし、磁石２の小片の多数を連設貼着する。両磁石室の中央部に破砕した竹炭粒３を充填封入する。袋１の両端に伸縮性のある素材４を縫着してベルトとし、該ベルト４の両端に面ファスナー５を反対面に面ファスナー６を固着する。【選択図】図１
0003118334.tif 000002
【実用新案登録請求の範囲】
【請求項１】
通気性のあるシートで、内部を三分割にした楕円筒状の袋体（１）の上下部に、磁石（２）の小片を多数連設貼着、中央中心部に竹炭を破砕した竹炭粒（３）を充填封入し、袋体（１）の両端に収縮性のあるベルト（４）を縫着、ベルト（４）の両端に面ファスナー（５）（６）を固着した磁石入り竹炭腰バンド。
【考案の詳細な説明】
【技術分野】
【０００１】  この考案は、腰痛を緩和するための健康用品である。
【背景技術】
【０００２】  従来は綿、合成樹脂を芯に使用し、表面に磁石を付着した腰枕や、空気袋封入腰枕、突起物又は磁石のみを付着したベルト等があった。
【考案の開示】
【考案が解決しょうとする課題】
【０００３】  これは次のような欠点があった。
従来の腰枕は、就寝中か横臥中の使用に限定され、車の運転中或いは椅子に座る時、又作業中等は使用が不可能で、又空気注入枕は空気注入の煩雑さと空気注入ポンプの取扱に問題があり、ベルト式は、腹部の圧迫感と発汗の悩みがある等の欠点がある。
本考案は、この欠点を除くためになされたものである。
【課題を解決するための手段】
【０００４】  通気性のあるシートで、内部を三分割した楕円筒状の袋体内に、磁石の小片を上下部に多数連接貼着し、中央部に破砕した竹炭粒を充填封入し、袋体の両端に面ファスナーを固着した収縮性のある素材を縫着する。
【考案の効果】
【０００５】  竹炭の炭化物より、マイナスイオン、遠赤外線が放出され、磁石よりは磁力が発生して血行を促進し、コリをほぐし、腰痛の軽減と腰に活力を取り戻す効果がある。
【考案を実施するための最良の形態】
【０００６】  以下、本考案の実施の形態について説明する。
１．通気性のあるシートで、内部を三分割に形成した楕円筒状の袋（１）の上下部を磁石室とし、磁石（２）の小片を多数を連設貼着する。
２．両磁石室の中央部に破砕した竹炭粒（３）を充填封入する。
３．袋（１）の両端に伸縮性のある素材（４）を縫着してベルトとし、該ベルト（４）の両端に面ファスナー（５）を反対面に面ファスナー（６）を固着する。
本考案は以上のような構成で、これを使用する時は袋本体（１）を腰部に当てベルト（４）を腹部に回し面ファスナー（５）（６）で密着さす、随時袋本体（１）は反転使用する。
【図面の簡単な説明】
【０００７】
【図１】  本考案の一部を切り欠いた斜視図である。
【図２】  本考案の断面図である。
【符号の説明】
【０００８】      １  楕円筒状の袋
２  磁石
３  竹炭粒
４  ベルト
５  面ファスナー
６  面ファスナー
【図１】
0003118334.tif 000003
【図２】
0003118334.tif 000004
(57)【要約】      （修正有）【課題】円柱形等の物品にほぼ同形状の円筒形カバーを両面粘着テープを用いて貼り合わせて接合するに際し、スムーズに作業できる両面粘着テープを提供する。【解決手段】両面粘着テープの両面に取り付けられている剥離材のうち、一面は両面粘着テープと同形状の剥離材で、もう片面は両面粘着テープ端の一辺で１８０度に折り返し、両面粘着テープ面の２倍になって尚かつ折り返し方向に３０ｍｍ程度長くした剥離材で、前者の剥離材を剥してカバーもしくは本体に貼りつけた後、後者の折り返し付き剥離材の方は残したままカバーを被せ、位置を決めてからこの折り返し剥離材を引っ張り出す事で剥離材を両面粘着テープからスムーズに剥がすことが出来て、確実にかつ強固に本体との粘着接合がなされる。【選択図】図１
0003118327.tif 000002
【実用新案登録請求の範囲】
【請求項１】
折り返しの剥離材を有する両面粘着テープ。
【考案の詳細な説明】
【技術分野】
【０００１】  本発明は、円柱、角柱、円錐、角錐もしくは半球形の物体の上から各々同形状のカバーを被せ、本体にカバーを粘着材で固着する時に使用する両面粘着テープに関する。
【背景技術】
【０００２】  円柱形本体にほぼ同形状の円柱形のカバーを被せ、粘着材で貼り合わせ接合するような場合に、貼り合せたい本体とカバーの隙間の間隔がほとんど無いので、両面粘着テープの剥離材を両面とも外して貼り合わせる通常方式では、カバーを本体所定位置まで被せようとしても途中で粘着材に引っかかってしまうため、あらかじめカバーの一部分を捲り上げておいて、カバーが両面粘着テープと即座にくっつかない位置まで被せ終え、固着したい位置を確かめながら、このカバーの捲り上げた部分を摺り下げる様に元の位置に戻して貼り合わせている。そのため捲り上げた部分ではカバー表面に波打ち現象の傷がつき、また正確な位置で貼り合わせることが出来ないでいる。前述形状総べての場合も同様である。
【考案の開示】
【考案が解決しようとする課題】
【０００３】  カバーを同形状の本体に両面粘着テープの粘着材で固着したい場合などには、貼り合せたいカバーと本体の間隔がほとんど無いので、両面粘着テープの剥離材を両面とも外してからカバーを本体所定位置まで被せようとしても途中で粘着材に引っかかってしまう。【０００４】  また両面粘着テープの片面の剥離材を残してカバーを所定の位置まで被せ、その後剥離材を取り除こうとしても、両面粘着テープに取り付けられている剥離材は両面粘着テープの表面積と同形状であるため、剥離材はカバーと本体の間に完全に隠れてしまう状態になるので、カバーと本体の間に残っている剥離材を容易に取り除くことが出来なくなる。【０００５】  本考案は、カバーをそれと同形状の本体に両面粘着テープの粘着材で固着しようとする時に、カバーを所定の位置まで被せてから、本体に付いている両面粘着テープの残り片面の剥離材を取り外せるようにすることで、被せたいカバーの所定位置を確認しながら正確な位置に強固に粘着材で接合出来るようにする目的のものである。
【課題を解決するための手段】
【０００６】  両面粘着テープの両面に取り付けられている剥離材のうち、先に張り付ける側の剥離材がついている面を仮に裏面とするとこの裏面の剥離材は両面粘着テープと同形状でよい。そうすると後で剥すほうの剥離材のついている面が表面であり、この表面の剥離材は両面粘着テープと同形状の端の一辺で１８０度の角度で折り返し、両面粘着材の形状の２倍になって、尚かつ折り返し方向に２０ｍｍから３０ｍｍ程度長い形状を有するものである。【０００７】  両面粘着テープの裏面の剥離材を剥しそれをカバーに貼りつけ、そのカバーを表面の剥離材を残したまま本体に被せた時に、折り返し方向に伸びた２０ｍｍから３０ｍｍの剥離材部分はカバーの外側にはみ出ることになる。カバーが本体所定の位置にきていることを確認してからこの剥離材のはみ出た部分を摘んで引っ張り出すことで、剥離材が両面粘着テープからスムーズに剥がれると同時に、本体との粘着接合がなされる。
【考案の効果】
【０００８】  カバーを所定の位置まで被せてから、本体に付いている両面粘着テープの残り片面の剥離材を取り外せるようにすることで、被せたいカバーの所定位置を確認しながら容易に、かつ正確に粘着材で接合して固着出来るようになる。
【考案を実施するための最良の形態】
【００１０】    両面粘着テープの両面に取り付けられている剥離材のうち、先に張り付ける側の剥離材は両面粘着テープと同形状で良く、後で剥すことになるもう一面の剥離材は両面粘着テープと同形状の端の一辺で１８０度の角度で折り返し、両面粘着テープ面の２倍になってなおかつ折り返し方向に２０ｍｍから３０ｍｍ程度長い形状を有するようにする。【００１１】  両面粘着テープの片面の剥離材を剥しそれをカバーに貼りつけ、長い折り返しのついたもう片面の剥離材を残したままカバーを本体に被せた時、折り返し方向に伸びた２０ｍｍから３０ｍｍの剥離材部分はカバーの外側にはみ出ることになるので、カバーが本体所定の位置にきていることを確認してから、このはみ出た部分の剥離材を摘んで引っ張り出すことで、剥離材を両面粘着テープからスムーズに剥がすことが出来て、確実にかつ強固に本体との粘着接合がなされる。
【実施例】
【００１２】  以下、添付図面に従って実施例を説明する。図１は本考案の折り返し剥離材付き両面粘着テープ斜視図であり、ａ折り返し剥離材、ｂ粘着材と同サイズの剥離材、Ｐ粘着材で構成される。【００１３】  図４はＱ筒状本体に、ｂを取り外してａを残したままの状態でＰを貼りつけ、Ｒカバーを被せた状態である。図５は図４のＢ−Ｂ’断面図でＣ部を拡大した図である。【００１４】  以上の通り、図３に示す従来の両面粘着テープの両面についている剥離材ａ’，ｂ’では図２、図５に示すＥ方向に引っ張り出す摘み部分が無い為に、ａ’を取り外して粘着面を剥き出しにした状態で貼り合わせるしか方法は無いので、ＱにＲを被せて粘着固定しようとした時に途中で引っかかってしまうが、本考案の折り返し剥離材を有する両面粘着テープはａをＥ方向に引っ張り出す事でＱとＲの間の正しい位置にＰを粘着固定できる。
【図面の簡単な説明】
【００１５】
【図１】本考案の斜視図
【図２】図１のＡ−Ａ’断面図
【図３】従来の両面粘着テープ
【図４】筒状形のものに同形状のカバーに本考案を使って被せた状態
【図５】図４のＢ−Ｂ’断面図Ｃ部拡大図
【符号の説明】
【００１６】    ａ        折り返し付き剥離材（表面）
ｂ        粘着材と同面積の剥離材（裏面）
ａ’      従来型の粘着材と同面積の剥離材（表面）
ｂ’      従来型の粘着材と同面積の剥離材（裏面）
Ｐ        粘着テープ
Ｑ        筒形状の本体
Ｒ        筒形状のカバー
【図１】
0003118327.tif 000003
【図２】
0003118327.tif 000004
【図３】
0003118327.tif 000005
【図４】
0003118327.tif 000006
【図５】
0003118327.tif 000007
(57)【要約】      （修正有）【課題】よだれかけ本体を乳幼児の胸部に安定して装着する為の胸紐を、従来の結ぶという手間を掛けずに装着する事を可能にするものである。【解決手段】よだれかけ本体１についている胸紐２の素材をゴム等の伸縮する素材にする事で、装着の度に乳幼児の胸囲に合った長さで結びなおす必要を無くす。また、乳幼児の成長に合わせて伸縮胸紐の長さを延長できるように、延長部分４を予めよだれかけ本体下部の両端に、折り返し部分５から６にかけて縫い合わせ、必要に応じて縫い付けた糸を左右の片側ずつ鋏で切る事で、伸縮胸紐の先端３まで延長を可能にしている。【選択図】図１
0003118328.tif 000002
【実用新案登録請求の範囲】
【請求項１】
よだれかけの本体を乳幼児の胸部に密着させる為の胸紐を、ゴム等の伸縮する素材にする事によって、胸紐自体を結ぶ事なく装着を可能にした、伸縮胸紐付きよだれかけ
【請求項２】
乳幼児の成長に合わせ伸縮胸紐の長さを延長できるように、予め伸縮胸紐の延長分をよだれかけ本体に縫い合わせておき、延長分の縫い付けを外す事で伸縮胸紐の長さを延長可能にした、伸縮胸紐付きよだれかけ
【考案の詳細な説明】
【技術分野】
【０００１】
本考案は、乳幼児向けのよだれかけに関するものである。
【背景技術】
【０００２】
従来、乳幼児用のよだれかけは、乳幼児の胸部とよだれかけとを密着させる為の胸紐が付いているタイプと、胸紐が付いていないタイプとがある。  胸紐付きのよだれかけは、胸紐を乳幼児の体の大きさに合わせて長さを調節して結べるように、長めに作られている。
【考案の開示】
【考案が解決しようとする課題】
【０００３】
胸紐付きのよだれかけは、胸紐が無いタイプのよだれかけに比べて、ずれたりめくれ上がる事がなく、乳幼児の胸部と安定して密着するというメリットがある反面、乳幼児の着替えの度に結び直すという手間が掛かる。特に、寝ている体制の乳幼児に対してよだれかけを交換する場合、胸紐を背中側に通して結ぶという事は、労働的に負担である。また、胸紐を結ぶという動作は両手が塞がるため、動き回れる月齢の幼児に対しては、うまく結ぶ事ができない場合がある。
【課題を解決するための手段】
【０００４】
よだれかけについている胸紐を平ゴム紐等の伸縮する素材にする事で、よだれかけ装着時の胸紐を結ぶという動作を無くし、胸紐を伸縮して体に通すだけで装着可能とする。
【０００５】
乳幼児の体の成長に合わせて伸縮胸紐の長さを延長できるように、よだれかけ本体に伸縮胸紐の延長分を縫い付けておく。胸紐がきつくなってきたら縫い付けてある糸をはさみで切り延長できる仕組みとする。
【考案の効果】
【０００６】
本考案は、上述の通り構成されているもので、次に記載する効果を奏する。
【０００７】
請求項１の伸縮胸紐付きよだれかけにおいて、従来の伸縮しない胸紐は装着の度に体のサイズで結び直す必要が有ったのに対し、伸縮のみで体にフィットさせる事を可能にした。
【０００８】
首や腰が据わっていない乳児が寝ている体制の場合、背中側に紐を通して結ぶには、片手で首または腰を持ち上げてから背中に胸紐を通し、そして結ぶ動作をしなければならず、一日のうちで何度も着替えをさせる保育者にとっては重労働であったが、胸紐の素材をゴム紐などの伸縮する物にする事で、首または腰を持ち上げてゴム紐を背中に通すだけの、一つの動作だけで済み、保育者の負担が軽減される。
（２）
【０００９】
その他に、紐の場合は結び目が硬いので乳幼児がよだれかけをしたまま寝ると背中やわき腹部分に違和感が生じる心配がある。また、歩き回ったり、寝返り、這い這いをするようになると、紐の結び目が何かに引っ掛かるという心配があるが、結び目が無い本考案のよだれかけは、その心配がない。
【００１０】
請求項２の伸縮胸紐付きよだれかけにおいて、伸縮胸紐両端とよだれかけ本体とを縫い合わせた糸を切り、胸紐の長さを延長する事で、成長に合わせて長期に渡り適正なサイズで使用が可能となる。
【００１１】
体格に合った適切な長さにする事で、よだれかけが体にフィットした状態を保ち、よだれかけ本体のずれやめくれを防止できる。
【考案を実施するための最良の形態】
【００１２】
よだれかけ本体下部の左右に、一本の平ゴム紐（幅５ｍｍ程度）の両端を胸紐として縫い付ける。ゴム紐の長さは最終的には２歳児が装着しても胸回りに余裕があるくらいの長さにする。０歳児から使用を開始でき段階的に延長が可能なように、延長分をよだれかけ本体に縫い付ける。 
【実施例】
【００１３】
以下、添付図面に従って、１実施例を説明する。１はよだれかけ本体、２は平ゴム紐で出来た伸縮胸紐、３は伸縮胸紐の先端でよだれかけ本体に縫い合わされている。４は伸縮胸紐の延長部分、５は延長分の折り返し部分、６は伸縮胸紐が長さを延長しない状態で使用する時のよだれかけ本体との縫い合わせ部分で、５から６までをよだれかけ本体に縫い合わせた構成とする。
【００１４】
着用する乳幼児が成長し、伸縮胸紐がきつくなってきた場合、５から６の縫い合わせた糸を左右の片側ずつ鋏で切り、それぞれ伸縮胸紐先端までの長さに延長する事を可能にしている。
【図面の簡単な説明】
【００１５】
【図１】本考案の伸縮胸紐付きよだれかけを、裏側から見た図である。考案の内容を分かりやすくする為に、伸縮胸紐の大きさを誇張して描いている。
【符号の説明】
【００１６】
１：よだれかけ本体
２：伸縮胸紐（平ゴム紐）
３：伸縮胸紐の先端（よだれかけ本体と縫い付けられている）
４：伸縮胸紐延長部分
５：伸縮胸紐延長部分の折り返し
６：よだれかけ本体と伸縮胸紐との縫い付け部分
【図１】
0003118328.tif 000003
(57)【要約】【課題】小さな子供が保護者と共に外出する際、保護者の両手が塞がっていた時、特に母親の場合、子供は母親の手の変わりに母親のスカートの襞や上着の裾を掴んで歩く姿を良く見る。しかし、子供は自由奔放である。掴んだ母親のスカートが捲れようが、上着が伸びようが、お構いなしである。更に保護者の服装に子供が掴まる処が無かったり、両手が塞がっていた場合は、子供は自由に歩き回り、非常に危険で事故の可能性が高くなる。この状態を解決する事を課題とする。【解決手段】この解決手段は、保護者が装着するベルト及び、外出時に持ち歩くバッグ等にナスカン及びカラビナ状の取り外し可能なキャラクターグリップの付いた子供事故防止用キャラクターグリップを装着し、子供はキャラクターグリップに掴まり保護者と行動を共にする為、保護者としても常時子供が側に居る事を確認でき不測の事故の防止に役立つ。【選択図】図１
0003118323.tif 000002
【実用新案登録請求の範囲】
【請求項１】
保護者が装着する腰ベルト及び、外出時に持ち歩くバッグの取っ手、並びに、肩にかけるショルダーベルトや、買い物袋の取っ手に取り外し可能なスイベル付きナスカン及びカラビナ状の下部に子供が掴まり勝手の良いキャラクターグリップを取り付け、更に、キャラクターグリップの下部に布で被覆されたゴム紐で子供の手が通る輪を付ける事で子供はその輪に手を通し、キャラクターグリップに掴まり、保護者と行動を共にする事で、常時保護者の側に居る事を確認出来るようにした子供事故防止用キャラクターグリップ。
【請求項２】
保護者が装着する腰ベルト及び、外出時に持ち歩くバッグの取っ手、並びに、肩にかけるショルダーベルトや、買い物袋の取っ手に取り外し可能なスイベル付きナスカン及びカラビナ状の下部に子供が掴まり勝手の良い蛍光反射シート付きキャラクターグリップを取り付け、更に、キャラクターグリップの下部に布で被覆されたゴム紐で子供の手が通る輪を付ける事で子供はその輪に手を通し、キャラクターグリップに掴まり、保護者と行動を共にする事で、常時保護者の側に居る事を確認出来、特に雨降りの夜間歩行の暗い所では蛍光反射シートが光る為親子共々安全な子供事故防止用キャラクターグリップ。
【考案の詳細な説明】
【技術分野】
【０００１】  本考案は、子供の事故防止の為の子供事故防止用キャラクターグリップに関する。
【背景技術】
【０００２】  歩き始めた幼児及び子供が保護者と共に外出する際、普通保護者は子供の手を握り子供の安全を確認しながら歩くものであるが、もし、両手が塞がっていた時の保護者、特に母親の場合、子供は母親の手の変わりに、母親のスカートの襞や上着の裾を掴んで歩く姿を良く見かける。
【考案の開示】
【考案が解決しようとする課題】
【０００３】  しかし、子供は自由奔放である。保護者、特に母親の場合子供は、掴んだスカートが捲れようが、高価な上着が伸びようが、お構いなしである。これでは、母親の方が困り果てるのも無理は無い。しかし他に之と言った方法も無く旧態依然と諦めているのが現状である。更に母親の服装に子供が掴まる処が無かったり、二人目の幼児を抱いているため両手がふさがっていたりした場合は、子供は自由に歩き回る事が出来、非常に危険で事故の可能性が高くなる。この状態を解決する事を課題とする。
【課題を解決する為の手段】
【０００４】  この課題を解決する為の請求項１の発明は、保護者が装着するベルト及び、外出時に持ち歩くバッグ等にナスカン及びカラビナ状の取り外し可能なキャラクターグリップの付いた子供事故防止用キャラクターグリップを装着しながら歩く事により、子供は抵抗無くキャラクターグリップに掴まり、保護者と行動を共にする為、保護者としても、常時子供が側に居る事を確認でき不測の事故の防止に役立つ。
【０００５】  更に、この課題を解決する為の請求項２の発明は、保護者が装着するベルト及び、外出時に持ち歩くバッグ等にナスカン及びカラビナ状の取り外し可能な蛍光反射シート付きキャラクターグリップの付いた子供事故防止用キャラクターグリップを装着しながら歩く事により、子供は抵抗無くキャラクターグリップに掴まり、保護者と行動を共にする為、保護者としても、常時子供が側に居る事を確認でき夜間でも、特に雨降りの暗い夜道などでは、車のライトで反射する蛍光反射シート装着している為、いち早く運転者側からの確認が出来、親子共々不測の事故の防止に役立つ。
【考案の効果】
【０００６】  この考案による効果は、子供にとって普段慣れ親しんでいるお気に入りのキャラクターグリップを使う事で、外出時でも抵抗無く掴める。更に、布で被覆されたゴム紐の輪に手を通す為、不足の事態にキャラクターグリップから手を離しても、布で被覆されたゴム紐の為子供の手を傷める事無く子供の手を確保出来、保護者は即座に子供の手を掴み体制を整える事が出来る。
【０００７】  現在日本では少子高齢化が叫ばれて久しいが、これからは益々子供の数が少なくなっていく、反面痛ましい子供の事故も多くなってきている、保護者のちょっと目を離した隙に尊い命が失われて行く事件、事故は枚挙に暇が無い。一人でも多く一番危険な時期を安全に過す為に、この子供事故防止用キャラクターグリップの効果は小なりと言えども大きな役割を担っていると言えよう。
【考案を実施する為の最良の形態】
【０００８】  以下この考案実施の形態は図１にしたがって説明する。取り外し可能なスイベル付きナスカン及び、カラビナ状Ｂの下部に、子供が掴まり勝手の良いキャラクターグリップＡを取り付け、更に、キャラクターグリップＡの下部に布で被覆されたゴム紐Ｆで子供の手が通る位の輪を付ける事で子供はその輪に手を通しキャラクターグリップＡに掴まる。更に、子供が抵抗無く掴む為には、子供本人が気に入ったキャラクターグリップＡで在る事が不可欠であり、又、普段より家の中で使い慣らす必要がある。キャラクターグリップＡのバリエーションも数多くそろえ子供にお気に入りを選ばせる必要がある。
【産業上の利用可能性】
【０００９】  この考案は今までに無かったものであり、消費者に受け入れられれば数多くの種類のキャラクターグリップを作らなければならない。大きな会社でなくても家内工業でも作れる物で、底辺で苦しんでいる小企業の活性化に繋がる。
【図面の簡単な説明】
【００１０】
【図１】  本考案に係わる子供事故防止用キャラクターグリップを正面から見た図である。
【図２】  本考案に係わる子供事故防止用キャラクターグリップの使用例の図である。
【符号の説明】
【００１１】  Ａ  キャラクターグリップ
Ｂ  ナスカン及びカラビナ
Ｃ  スイベル
Ｄ  取り付け金物
Ｅ  ゴムベルト
Ｆ  ゴム紐
Ｇ  蛍光反射シート
Ｈ  飾り
【図１】
0003118323.tif 000003
【図２】
0003118323.tif 000004
(57)【要約】      （修正有）【課題】頸の廻りに巻いてこれを保温することにより、血行を高めて風邪の予防や風邪による喉の痛みを緩和する様にした頸巻き保温帯を提供する。【解決手段】帯状に形成された布地１の一端２側を他端３側に設けた挿通穴４に挿脱自在と成し、布地１の一端２側を他端３側の挿通穴４に通して頸に巻いて保温する。頸から易々と外れることなく巻き加減を程よく調整することができる。【選択図】図２
0003118363.tif 000002
【実用新案登録請求の範囲】
【請求項１】
帯状に形成された布地の一端側を他端側に設けた挿通穴に挿脱自在と成したことを特徴とする頸巻き保温帯。
【考案の詳細な説明】
【技術分野】
【０００１】
本考案は、頸の廻りに巻いてこれを保温することにより、血行を高めて風邪の予防や風邪による喉の痛みを緩和する様にした頸巻き保温帯に関する。
【背景技術】
【０００２】
従来、風邪の予防や風邪による喉の痛みを緩和したり、就寝中の頸から肩にかけての冷え防止のためにタオル等の布地を頸に巻いて保温していた。
【考案の開示】
【考案が解決しようとする課題】
【０００３】
しかしながら、上記の様に単にタオルを頸に巻くだけでは、その巻き具合が安定せず、その調整が煩わしかったり、又特に就寝中では人体の無意識な動きで頸からタオルが外れて充分な保温効果が期待できなかった。
【課題を解決するための手段】
【０００４】
本考案は、帯状に形成された布地の一端側を他端側に設けた挿通穴に挿脱自在と成した頸巻き保温帯を提供し、布地の一端側を他端側の挿通穴に通して頸に巻く様にして、上記課題を解決する。
【考案の効果】
【０００５】
要するに本考案のものは、布地の一端側を他端側に設けた挿通穴に通すだけで、装着者の頸廻りに適合する様に調整して頸に対し違和感や圧迫感を与えることなく巻き付けられ、これにより頸を保温できるので、就寝中などの頸からの冷え込みを防止して血行を促進し、風邪の予防や風邪をひいた時の喉の痛みを緩和できると共に、前記一端側が挿通穴を通っているため、易々とその装着状態が解かれず維持でき、寝相が悪くても外れない。
又、本考案によれば、一端側の挿通穴へ通す長さで頸への巻き加減を簡単に程よく調整できる所謂フリーサイズであるので、あらゆる頸廻りの装着者に対応でき、この様に巻き具合の調整が自由なため、使用の度に所望する巻き加減で心地よい装着を可能とし、従って頸を圧迫したりしないから睡眠を妨げることもない。
又、吸水性に富んだ布地を用いれば、汗を吸収してべとつかせず快適な装着状態を持続でき、洗濯が容易な布地であれば、使用による汚れを洗い落として常に衛生的な状態での装着が可能である等その実用的効果甚だ大である。
【考案を実施するための最良の形態】
【０００６】
以下本考案の実施の形態としての実施例を図面に基づいて説明する。
図１は本考案に係る頸巻き保温帯の平面図、図２は装着状態の一例を示す図である。
この頸巻き保温帯は、綿などの天然繊維で保温性及び吸水性を有するタオル地（パイル織物）やガーゼなどに仕上げた布地１を帯状に形成し、該布地１の一端２側を他端３側に設けた挿通穴４に挿脱自在と成している。
【０００７】
布地１は、保温性及び吸水性を向上させるため、複数枚の同形帯状のものを重ねて縫製一体化するか、若しくは、方形状のものを幾重にも折り重ねて帯状に縫製するのが望ましい。
尚、布地１の幅及び長さは適宜に設定されることはいうまでもない。
【０００８】
挿通穴４は、布地１の他端３に平行に形成した眠り穴（一条の切り込み口）であり、該眠り穴（挿通穴）４は、その周囲が補強布５で縫着されると共に、挿通穴４の周縁は、図示しない糸で縢っている。
尚、挿通穴４の形状は、上記に限定されないが、挿通穴４に通した布地１の一端２側が易々と抜け出さない眠り穴の様なスリット状の穴に形成されるのがより好ましい。
【０００９】
上記の様に構成された頸巻き保温帯は、図２の如く、布地１の一端２側を他端３側の挿通穴４に通して頸に巻くことで装着される。
頸への巻き加減は、一端２側の挿通穴４へ通す長さで調整され、装着者にとって窮屈にならない様に頸廻りに適合した装着を可能としている。
この装着状態では、一端２側が挿通穴４を通っているだけではあるが、挿通穴４を通った一端２側は垂れ下がるため、それが挿通穴４に対する抜け止め作用を促し、易々とその装着状態が解かれず維持できる。
上記の様に布地１を頸に装着することで、頸から体幹部への冷気の侵入を阻止して常に頸を保温でき、これにより血行を促進し、風邪の原因の１つである頸の冷えによる血行不良で生ずる喉の痛みを防止したり、風邪をひいた時の喉の痛みを緩和させられる。
【００１０】
布地１は、綿などの天然繊維から成るため肌触りが良く、しかもその吸水性により汗を吸収して肌触りの良い心地よさを装着の間ずっと持続させられ、更に洗濯が容易な生地から成るので、使用による汚れを洗濯で洗い落とし、常に衛生的な状態での装着を可能としている。
上記の様に装着された頸巻き保温帯を頸から外すには、挿通穴４から布地１の一端２側を引き出すことで成し得る。
【００１１】
尚、本考案に係る頸巻き保温帯は、上記の様に頸を保温する以外にも、洗顔、化粧時等に頭部に巻いて髪をまとめるためや、発熱時等に額に貼付する冷却シートを剥がれない様にするためのヘアバンドなどとして頭部に上記と同様な手法にて巻いて使用することも可能である。
【図面の簡単な説明】
【００１２】
【図１】本考案に係る頸巻き保温帯の平面図である。
【図２】同上装着状態の一例を示す図である。
【符号の説明】
【００１３】
１  布地
２  一端
３  他端
４  挿通穴
【図１】
0003118363.tif 000003
【図２】
0003118363.tif 000004
(57)【要約】      （修正有）【課題】従来の女子用の学生服用シャツは、衿部を有するシャツを着用する場合にリボンの一端部を首の後に廻して、先端部に取付けてある雄型固定具を伸ばしながら他端部に取付けてある雌型固定具に嵌合固定してリボン本体が衿前に位置するように使用しているが、上記のリボンは、首まわりに伸縮自在なゴム材を用いるために襟元からだらりと伸ばしきった状態で使用する傾向が増え、視認上見苦しいものとなっていたものを視認性に優れたリボン着用ができるようにする。【解決手段】襟元付きシャツはそれぞれの体型からＳ、Ｍ、Ｌサイズに従って襟元の大きさも変えられているため、襟元の前中心から６〜９ｃｍの範囲にリボン固定用の雄型固定具又は雌型固定具を前もって逢着すると、リボン自体にゴム材を用いないために一定幅での装着しかできないことを見いだした。【選択図】図１
0003118361.tif 000002
【実用新案登録請求の範囲】
【請求項１】
衿部を有する学生服用シャツにおいて、衿部の前中心から６〜９ｃｍの位置にリボン用の雌型固定具、又は雄型固定具を予め逢着してなることを特徴とする学生服用シャツ。
【請求項２】
前記固定具は、リボンの上部先端部に取付けた雌型固定具、又は雄型固定具と互いに嵌合接合なるように縫着されてなることを特徴とする請求項１記載の学生服用シャツ。
【考案の詳細な説明】
【技術分野】
【０００１】
本考案は、女子の学生服用シャツに関し、さらに詳しくは、衿部にリボン装着用固定部を取付けた学生服用シャツに関する。
【背景技術】
【０００２】
従来の女子用の学生服用シャツは、衿部を有するシャツを着用する場合にリボンの一端部を首の後に廻して、先端部に取付けてある雄型固定具を伸ばしながら他端部に取付けてある雌型固定具に嵌合固定してリボン本体が衿前に位置するように使用している。
【考案の開示】
【考案が解決しようとする課題】
【０００３】
上記のリボンは、首まわりに伸縮自在なゴム材を用い、さらに多くの人が同一物を利用できるようにするためにゴム材の長さを調節できるようにしていることから、ゴム材を最高長さまで伸ばすことによって襟元からだらりと伸ばしきった状態で使用する傾向が増え、視認上見苦しいものとなっていた。
【課題を解決するための手段】
【０００４】
本考案者は斯かる課題を解決するために鋭意研究したところ、襟元付きシャツはそれぞれの体型からＳ、Ｍ、Ｌサイズが予め作られており、また、そのサイズに従って襟元の大きさも変えられているため襟元の前中心からの位置は大体利用者の同じような位置に相当することが判明し、従って、前中心から６〜９ｃｍの範囲にリボン固定用の雄型固定具又は雌型固定具を前もって逢着すると、リボン自体にゴム材を用いないために一定幅での装着しかできないことを見いだし、本考案に係る学生服用シャツを提供することができた。
【０００５】
すなわち本考案の第一は、衿部を有する学生服用シャツにおいて、衿部の前中心から６〜９ｃｍの位置にリボン用の雌型固定具、又は雄型固定具を予め逢着してなることを特徴とする学生服用シャツである。
【０００６】
本考案の第二は、前記固定具は、リボンの上部先端部に取付けた雌型固定具、又は雄型固定具と互いに嵌合接合なるように縫着されてなることを特徴とする請求項１記載の学生服用シャツである。
【考案の効果】
【０００７】
本考案の学生服用シャツは、リボン着用時に襟元の縫着固定具によって取付け位置が固定されることから使用者が従前の様にゴム材を伸ばすことができないために、リボン使用者全員が勝手に位置を変えることなく同じ位置に着用できるために、視認性に優れたリボン着用を提供することができるものである。
【考案を実施するための最良の形態】
【０００８】
以下、図面を参照に本考案の学生服用シャツを説明するが、本考案の範囲はこれらに限定されるものではない。
【実施例１】
【０００９】
図１は、本考案に係る学生服用シャツにリボンを取付けた状態を示す正面図である。本考案では、シャツ本体１の衿元２にリボン３を取付ける構造となっている。
【００１０】
具体的には、図２に示すように台衿４と表衿５との間に、前中心から計測して６〜９ｃｍの位置、好ましくは７ｃｍ前後にリボン用の雌型固定具、又は雄型固定具を予め逢着するが、本実施例では雌型固定具６を逢着した。
【００１１】
この場合、固定具の縫着は図４ａに示す雄固定具９及び雌固定具１０の環状体８を逢着して、雄・雌固定具９、１０とも嵌合される本体部が自由に動き易いように調整できる様にしている。
【００１２】
図３は、本実施例で用いるリボン３を示す正面図であるが、予め準備した幅の異なる上、中、下からなる３本の模様入り布体を中心部でまとめており、上部布体の両先端部には、シャツ本体の衿元に逢着した雌固定具６に嵌合固定する雄固定具７が環状体８を介してゴム材１１で被着されている。
【００１３】
本実施例で使用する雄・雌固定具９、１０は樹脂製であるが、金属製の固定具で合っても構わない。
【図面の簡単な説明】
【００１４】
【図１】本考案に係る学生服用シャツにリボンを取付けた状態を示す正面図である。
【図２】図１における襟元部の部分拡大図である。
【図３】図１におけるリボンの正面図である。
【図４ａ】本考案で使用する雄・雌固定具を示す斜視図である。
【図４ｂ】本考案で使用する雄・雌固定具を示す斜視図である。
【符号の説明】
【００１５】
１・・・シャツ本体
２・・・衿元
３・・・リボン
４・・・台衿
５・・・表衿
６・・・雌型固定具
７・・・雄型固定具
８・・・環状体
９・・・雌型固定具本体部
１０・・雄型固定具本体部
１１・・ゴム材
【図１】
0003118361.tif 000003
【図２】
0003118361.tif 000004
【図３】
0003118361.tif 000005
【図４ａ】
0003118361.tif 000006
【図４ｂ】
0003118361.tif 000007